(57)【要約】【課題】  エリアコードに示されているチャンネルを、チャンネルキーの付与された番号とチャンネルに割り振られた番号とが一致するようにチャンネルキーに対応付け、エリアコードに示されていないチャンネルを、空いているチャンネルキーに対応付ける。【解決手段】  最初に、電界強度が所定の強度以上であるチャンネルに割り振られているチャンネル番号を全てメモリロケーションＡ（１）〜Ａ（Ｍ）に記憶する。次に、チャンネル番号がメモリロケーションＡ（１）〜Ａ（Ｍ）に記憶されているチャンネルのうち、エリアコードにチャンネル番号が示されているチャンネルは、エリアコードに従って各チャンネルキーに対応付け、エリアコードにチャンネル番号が示されていないチャンネルは、残りのチャンネルキーに対応付ける。【選択図】  図４
2006005757.tif 000002
【特許請求の範囲】
【請求項１】
それぞれ異なる番号が付与されている複数のチャンネルキーが設けられており、上記複数のチャンネルキーのうち１つを選択することによって、選択されたチャンネルキーに対応付けられているチャンネルを選局するチャンネル選局装置において、
複数の上記チャンネルの中から、電波強度が所定の強度以上であるチャンネルを検出する検出手段と、
上記検出手段によって検出されたチャンネルに割り振られているチャンネル番号を記憶する検出チャンネル記憶手段と、
地域毎に、上記複数のチャンネルキーにそれぞれ対応付けられるチャンネルに割り振られたチャンネル番号が、上記複数のチャンネルキーに付与された番号と対応して示されているエリアコードが記憶されているエリアコード記憶手段と、
上記チャンネルキーのそれぞれに、上記検出チャンネル記憶手段にチャンネル番号が記憶されているチャンネルを対応付けることで、上記チャンネルキーを選択したときに選局されるチャンネルを設定するチャンネル設定手段とを備え、
上記チャンネル設定手段は、上記検出チャンネル記憶手段にチャンネル番号が記憶されたチャンネルのうち、上記エリアコードにチャンネル番号が記憶されているチャンネルを、上記エリアコードに示された通りに上記チャンネルキーに対して対応づけ、上記エリアコードにチャンネル番号が記憶されていないチャンネルを、上記チャンネルキーのうちチャンネルが対応付けられていないチャンネルキーに対応付けること
を特徴とするチャンネル選局装置。
【請求項２】
上記エリアコードには、上記チャンネルの電波強度が、上記チャンネル番号と対応して示されていること
を特徴とする請求項１記載のチャンネル選局装置。
【請求項３】
上記チャンネル設定手段は、上記検出チャンネル記憶手段にチャンネル番号が記憶されたチャンネルのうち、上記エリアコードにチャンネル番号が記憶されているチャンネルを、上記エリアコードに従って上記チャンネルキーに対して対応づけた後に、上記エリアコードにチャンネル番号が記憶されていないチャンネルの中から、電界強度が強い順に、チャンネルが対応付けられていない上記チャンネルキーの数と同じ数以下のチャンネルを選択し、上記チャンネルキーのうちチャンネルが対応付けられていないチャンネルキーに対応付けること
を特徴とする請求項２記載のチャンネル選局装置。
【請求項４】
上記チャンネル設定手段は、上記検出チャンネル記憶手段にチャンネル番号が記憶されたチャンネルのうち、上記エリアコードにチャンネル番号が記憶されていないチャンネルの中から、電界強度が強い順に、チャンネルが対応付けられていない上記チャンネルキーの数と同じ数以下のチャンネルを選択し、選択したチャンネルに割り振られたチャンネル番号と上記チャンネルキーのうちチャンネルが対応付けられていないチャンネルキーに付与された番号とを比較して、一致しているチャンネル番号が割り振られているチャンネルを、一致している番号が付与されたチャンネルキーに対して対応付けること
を特徴とする請求項３記載のチャンネル選局装置。
【請求項５】
上記検出チャンネル記憶手段に記憶される上記チャンネルの電波強度を調整する電波強度調整手段を備えること
を特徴とする請求項２記載のチャンネル選局装置。
【請求項６】
放送局から送信された信号を受信する受信手段と、
上記受信手段によって受信された信号の中から、上記チャンネルキーを選択することによって選局されたチャンネルの信号を選択して出力する信号選択手段とを備え、
上記電波強度調整手段は、上記信号選択手段から出力される信号の強度を調整すること
を特徴とする請求項５記載のチャンネル選局装置。
【請求項７】
上記電波強度調整手段は、周波数帯域毎に、上記チャンネルの電波強度を調整すること
を特徴とする請求項５記載のチャンネル選局装置。
【請求項８】
画像を表示する表示手段と、
上記表示手段に表示される画像を制御する表示画像制御手段とを備え、
上記表示画像制御手段は、上記検出チャンネル記憶手段にチャンネル番号と電界強度とが記憶されており、且つ、上記チャンネルキーに対応付けられていないチャンネルを、上記表示手段に表示させること
を特徴とする請求項２記載のチャンネル選局装置。
【請求項９】
それぞれ異なる番号が付与されている複数のチャンネルキーが設けられており上記複数のチャンネルキーのうち１つを選択することによって選択されたチャンネルキーに対応付けられているチャンネルを選局するチャンネル選局装置の上記複数のチャンネルキーに対して、それぞれチャンネルを対応付けるチャンネル設定方法であって、
複数の上記チャンネルの中から、電波強度が所定の強度以上であるチャンネルを検出する電界強度検出ステップと、
上記電界強度検出ステップで検出されたチャンネルに割り振られているチャンネル番号を記憶手段に対して記憶するチャンネル番号記憶ステップと、
上記記憶手段に対してチャンネル番号が記憶されたチャンネルのうち、地域毎に上記複数のチャンネルキーに対応付けられるチャンネルに割り振られたチャンネル番号が上記複数のチャンネルキーに付与された番号と対応して示されているエリアコードにチャンネル番号が示されているチャンネルを、上記エリアコードに従って上記チャンネルキーに対応付けた後に、上記エリアコードにチャンネル番号が示されていないチャンネルを、上記チャンネルキーのうちチャンネルが対応付けられていないチャンネルキーに対応付ける対応付けステップとを備えること
を特徴とするチャンネル設定方法。
【請求項１０】
上記エリアコードには、上記チャンネルの電波強度が、上記チャンネル番号と対応して示されていること
を特徴とする請求項９記載のチャンネル設定方法。
【請求項１１】
上記対応付けステップでは、上記記憶手段にチャンネル番号が記憶されたチャンネルのうち、上記エリアコードにチャンネル番号が記憶されているチャンネルを、上記エリアコードに従って上記チャンネルキーに対応付けた後に、上記エリアコードにチャンネル番号が記憶されていないチャンネルの中から、電界強度が強い順に、上記チャンネル選局手段のチャンネルが対応付けられていないチャンネルキーの数と同じ数以下のチャンネルを選択し、上記チャンネルキーのうちチャンネルが対応付けられていないチャンネルキーに対応付けること
を特徴とする請求項１０記載のチャンネル設定方法。
【請求項１２】
上記対応付けステップでは、上記記憶手段にチャンネル番号が記憶されたチャンネルのうち、上記エリアコードにチャンネル番号が記憶されていないチャンネルの中から、電界強度が強い順に、チャンネルが対応付けられていない上記チャンネルキーの数と同じ数以下のチャンネルを選択し、選択したチャンネルに割り振られたチャンネル番号と上記チャンネルキーのうちチャンネルが対応付けられていないチャンネルキーに付与された番号とを比較して、一致しているチャンネル番号が割り振られているチャンネルを、一致している番号が付与されたチャンネルキーに対して対応付けること
を特徴とする請求項１１記載のチャンネル設定方法。
【請求項１３】
上記記憶手段に記憶される上記チャンネルの電波強度を調整する電波強度調整ステップを備えること
を特徴とする請求項１１記載のチャンネル設定方法。
【請求項１４】
放送局から送信された信号を受信する受信ステップと、
上記受信ステップで受信された信号の中から、上記チャンネルキーを選択することによって選局されたチャンネルの信号を選択して出力する信号選択ステップとを備え、
上記電波強度調整ステップでは、上記信号選択ステップで出力される信号の強度を調整すること
を特徴とする請求項１３記載のチャンネル設定方法。
【請求項１５】
上記電波強度調整ステップでは、周波数帯域毎に、上記チャンネルの電波強度を調整すること
を特徴とする請求項１４記載のチャンネル設定方法。
【請求項１６】
上記チャンネル選択装置は、画像を表示する表示手段を備えており、
上記表示手段に、上記検出チャンネル記憶手段にチャンネル番号と電界強度とが記憶されており、且つ、上記チャンネルキーに対応付けられていないチャンネルを、上記電解強度が強い順番で、上記表示手段に表示させる表示ステップを備えること
を特徴とする請求項９記載のチャンネル設定方法。
【発明の詳細な説明】
【技術分野】
【０００１】
本発明は、例えばテレビジョン受像機など、受信した信号のうち特定のチャンネルを選局するチャンネル選局装置に関する。また、本発明は、チャンネルを選局するチャンネルキーにそれぞれチャンネルを対応付けることにより、チャンネルキーを選択したときに選局されるチャンネルを設定するチャンネル設定方法に関する。
【背景技術】
【０００２】
テレビジョン受像機は、受信した信号の中からユーザにより指定されたチャンネルの信号を選択して復調することにより、画面に画像を表示している。テレビジョン受像機は、チャンネルを選局するためのキー（以下、チャンネルキーという。）が複数備えられている。
【０００３】
チャンネルキーにはそれぞれ異なる番号が付与されており、それぞれ受信可能なチャンネルが対応付けられている。特にＶＨＦ（Very High Frequency）を使用したチャンネルは、チャンネル番号と同じ番号が付与されたチャンネルキーに対応付けられている。テレビジョン受像機では、チャンネルキーが選択されると、選択したチャンネルキーに対応付けられているチャンネルの信号を復調して、画面に画像を表示する。
【０００４】
一方、テレビジョン放送には、ＶＨＦだけではなく、ＵＨＦ−Ｌ（Ultra High FrequencyLow）、ＵＨＦ−Ｈ（Ultra High FrequencyHigh）、ＣＡＴＶ（Community Antenna TV）などがあり、ＶＨＦとは異なる周波数帯を使用している。
【０００５】
したがって、テレビジョン受像機では、選局できるチャンネルの数がＶＨＦを使用したチャンネルの数より多い。選局できるチャンネルが多いと、ユーザは、多くの放送を視聴することが可能となる一方で、所望のチャンネルを選局するために煩雑な操作を行わなくてはならないなど、チャンネルを選局しにくくなる。
【０００６】
そこで、テレビジョン受像機には、所定の数のチャンネルキーに、多数のチャンネルの中から所定の数のチャンネルを選択して対応付けることにより、チャンネルキーを選択して選局できるチャンネルを自動的に設定する（以下、オートプリセットともいう。）機能が搭載されている。
【０００７】
オートプリセット機能の第１の具体例としては、受信可能なチャンネルの電界強度を検出（以下、チャンネルサーチという。）して、複数のチャンネルの中から電界強度が強い順にチャンネルキーと同数又はそれ以下の数のチャンネルを選択し、各チャンネルキーに対応付けるものが挙げられる。
【０００８】
また、オートプリセット機能の第２の具体例としては、周波数の低い方から高い方へチャンネルサーチを行い、電波が受信されたチャンネルをチャンネルキーと同数又はそれ以下の数選択し、選択したチャンネルを、その地域で受信可能なチャンネルのチャンネル番号と、このチャンネル番号が付与されたチャンネルキーとの対応付けを示したデータ（以下、エリアコードという。）と比較し、完全一致した場合に、選択した各チャンネルを、チャンネル番号と同じ番号が付与されたチャンネルキーに対応付けるものが挙げられる。
【０００９】
【特許文献１】特開平７−２４０６６９号公報
【発明の開示】
【発明が解決しようとする課題】
【００１０】
しかしながら、上述した第１の具体例では、対応付けるチャンネルキーに付与された番号と各チャンネルに割り振られたチャンネル番号とをエリアコードに従って一致させていないために、オートプリセットされたチャンネルのチャンネル番号がチャンネルキーに付与された番号とずれるなど、対応付けられるチャンネルとチャンネルキーとの関係がエリアコード通りではなくなってしまう。したがって、ユーザにとって選局しているチャンネルを把握することが困難となるなど、利用する上で不都合が生じてしまう。
【００１１】
また、第２の具体例では、周波数が低いチャンネルは電界強度が弱くても選択され、周波数が高いチャンネルは電界強度が強くても選択されない場合が生じてしまう。したがって、選択されたチャンネルとエリアコードとを比較した場合に完全一致しにくくなってしまい、各チャンネルを、割り振られたチャンネル番号と同じ番号が付与されたチャンネルキーにオートプリセットすることが困難となってしまう。
【００１２】
さらに、第２の具体例では、各チャンネルを、割り振られたチャンネル番号と同じ番号が付与されたチャンネルキーにオートプリセットするためには、選択されたチャンネルの数とエリアコードに示されたチャンネル番号の数とが一致することも条件とされている。したがって、エリアコードに示されたチャンネル番号のチャンネルが全て選択されているにも拘わらず、例えば選択されたチャンネルの数がエリアコードに示されたチャンネル数の数より多い場合などには、各チャンネルは割り振られたチャンネル番号と同じ番号が付与されたチャンネルキーにオートプリセットされなくなってしまう。
【００１３】
本発明は、以上説明した従来の実状を鑑みて提案されたものであり、電界強度が所定の強度以上であるチャンネルの数が、チャンネルデータに示されているチャンネルの数と一致するか否かに拘わらず、チャンネル選局手段の各キーに付与された番号の中に割り振られているチャンネル番号と同じ番号があるチャンネルを、割り振られたチャンネル番号と同じ番号に対応付けることが可能な受信装置及びチャンネル設定方法を提供することを目的とする。
【課題を解決するための手段】
【００１４】
本発明に係るチャンネル選局装置は、それぞれ異なる番号が付与されている複数のチャンネルキーが設けられており、上記複数のチャンネルキーのうち１つを選択することによって、選択されたチャンネルキーに対応付けられているチャンネルを選局するチャンネル選局装置において、複数の上記チャンネルの中から、電波強度が所定の強度以上であるチャンネルを検出する検出手段と、上記検出手段によって検出されたチャンネルに割り振られているチャンネル番号を記憶する検出チャンネル記憶手段と、地域毎に、上記複数のチャンネルキーにそれぞれ対応付けられるチャンネルに割り振られたチャンネル番号が、上記複数のチャンネルキーに付与された番号と対応して示されているエリアコードが記憶されているエリアコード記憶手段と、上記チャンネルキーのそれぞれに、上記検出チャンネル記憶手段にチャンネル番号が記憶されているチャンネルを対応付けることで、上記チャンネルキーを選択したときに選局されるチャンネルを設定するチャンネル設定手段とを備え、上記チャンネル設定手段は、上記検出チャンネル記憶手段にチャンネル番号が記憶されたチャンネルのうち、上記エリアコードにチャンネル番号が記憶されているチャンネルを、上記エリアコードに示された通りに上記チャンネルキーに対して対応づけ、上記エリアコードにチャンネル番号が記憶されていないチャンネルを、上記チャンネルキーのうちチャンネルが対応付けられていないチャンネルキーに対応付けることを特徴とする。
【００１５】
本発明に係るチャンネル設定方法は、それぞれ異なる番号が付与されている複数のチャンネルキーが設けられており上記複数のチャンネルキーのうち１つを選択することによって選択されたチャンネルキーに対応付けられているチャンネルを選局するチャンネル選局装置の上記複数のチャンネルキーに対して、それぞれチャンネルを対応付けるチャンネル設定方法であって、複数の上記チャンネルの中から、電波強度が所定の強度以上であるチャンネルを検出する電界強度検出ステップと、上記電界強度検出ステップで検出されたチャンネルに割り振られているチャンネル番号を記憶手段に対して記憶するチャンネル番号記憶ステップと、上記記憶手段に対してチャンネル番号が記憶されたチャンネルのうち、地域毎に上記複数のチャンネルキーに対応付けられるチャンネルに割り振られたチャンネル番号が上記複数のチャンネルキーに付与された番号と対応して示されているエリアコードにチャンネル番号が示されているチャンネルを、上記エリアコードに従って上記チャンネルキーに対応付けた後に、上記エリアコードにチャンネル番号が示されていないチャンネルを、上記チャンネルキーのうちチャンネルが対応付けられていないチャンネルキーに対応付ける対応付けステップとを備えることを特徴とする。
【発明の効果】
【００１６】
本発明に係るチャンネル選局装置及びチャンネル設定方法は、最初に各チャンネルの電界強度を検出して、電界強度が所定の強度以上であるチャンネルに割り振られているチャンネル番号を記憶手段に全て記憶し、記憶手段にチャンネル番号が記憶されたチャンネルのうちエリアコードにチャンネル番号が記憶されているチャンネルを、チャンネルキーに対してエリアコード通りに対応付け、エリアコードにチャンネル番号が記憶されていないチャンネルを、複数のチャンネルキーのうちチャンネルが対応付けられていないチャンネルキーに対応付けている。
【００１７】
したがって、本発明に係るチャンネル選局装置及びチャンネル設定方法によれば、エリアコードにチャンネル番号が示されているチャンネルは、チャンネル番号と同じ番号が付与されたチャンネルキーに対応付けられ、エリアコードにチャンネル番号が示されていないチャンネルを空いているチャンネルに対応付けることができる。したがって、本発明に係るチャンネル選局装置及びチャンネル設定方法は、多数のチャンネルの指定が容易となるように、各チャンネルをチャンネルキーに対応付けることが可能となる。
【００１８】
また、本発明に係るチャンネル選局装置及びチャンネル設定方法は、電界強度が所定の強度以上であるチャンネルを全て検出し、その中から電界強度が強い順に所定の数選択してキーに対応付けているために、電界強度が強いチャンネルを漏れなく対応付けることが可能となる。
【００１９】
また、本発明に係るチャンネル選局装置及びチャンネル設定方法は、選択した所定の数のチャンネルの中にエリアコードに記憶されているチャンネルが含まれているときに、エリアコードに記憶されているチャンネル番号に従って、それぞれのチャンネルを各キーに対応付けられている。したがって、エリアコードに記憶されていないチャンネルが所定の数の中に含まれる場合にも、エリアコードに記憶されているチャンネル番号に従ってチャンネルが各チャンネルキーに対応付けられるために、選局するチャンネルの指定が容易なものとなる。
【発明を実施するための最良の形態】
【００２０】
以下、本発明を実施するための最良の形態について、図面を参照しながら詳細に説明する。
【００２１】
図１に示すように、本発明を適用したテレビジョン受信機１は、放送局から送信された信号を受信するアンテナ２と、アンテナ２によって受信された信号から所望のチャンネルの信号を選択して増幅し、中間周波数信号に変換するチューナ３と、チューナ３から出力された中間周波数信号を増幅して出力するとともに、中間周波数信号のレベルに応じた電圧（以下、ＡＧＣ（Auto Gain Control）電圧という。）を出力するＶＩＦ（Video Intermediate Frequency）回路４と、ＶＩＦ回路４から出力された中間周波数信号を検波しビデオ信号を抽出して出力する検波回路５と、検波回路５から出力されたビデオ信号が供給され、供給されたビデオ信号をＲ信号、Ｇ信号、Ｂ信号に分離するビデオ回路６と、ビデオ回路６から供給されたＲ信号、Ｇ信号、Ｂ信号に基づいて画像を表示するモニタ７とを備える。
【００２２】
また、テレビジョン受信機１は、ＶＩＦ回路４から出力されたＡＧＣ電圧又は後述するマイコンから供給されるＡＧＣＡＴＴ信号に基づいてチューナ３による信号の増幅率を制御するＡＧＣ回路８と、検波回路５から出力されたビデオ信号から同期信号のみを抽出し、同期信号のレベルが一定以上である場合に１信号を出力し、一定未満である場合に０信号を出力する同期信号検出回路９を備える。
【００２３】
また、テレビジョン受信機１は、番号が付与された複数のチャンネルキーを備えており、チャンネルキーを選択することによって、チューナ３が選局するチャンネルを指定するチャンネル指定部１０と、データを記憶するメモリ１１と、各部を制御するマイコン１２と、一方の端子がマイコン１２に接続しており、他方の端子が接地されているスイッチ１３とを備える。
【００２４】
テレビジョン受信機１は、チャンネルプリセットモードと、放送モードとを有している。チャンネルプリセットモードのときには、受信可能なチャンネルを、チャンネル指定部１０の各チャンネルキーにそれぞれ自動的に対応付け（以下、オートプリセットともいう。）、チャンネルキーを選択することによって選局されるチャンネルの変更などを行うことができる。また、放送モードのときには、選択されたチャンネルキーに対応付けられているチャンネルの信号を復調してモニタ７に表示し、ユーザが放送を視聴することを可能とする。
【００２５】
チューナ３は、マイコン１２と接続されたＰＬＬシンセサイザを備えており、アンテナ２によって受信された信号のうち、マイコン１２から供給されたチャンネル選局信号によって指定されたチャンネルの周波数に同調することで、アンテナ２によって受信された信号からチャンネル選局信号によって指定されたチャンネルを選択して増幅し、中間周波数信号に変換して、ＶＩＦ回路４に出力する。チューナ３による信号の増幅率は、ＡＧＣ回路８によって制御される。なお、チャンネル選局信号については詳細を後述する。
【００２６】
チューナ３の出力電圧は、選択したチャンネルの電界強度に比例する。チューナ３は、電界強度が強いチャンネルを選択した場合には出力電圧が低くなり、電界強度が弱いチャンネルを選択した場合には出力電圧が高くなる。したがって、チューナ３の出力電圧を測定することで、選択したチャンネルの電界強度を測定することが可能となる。
【００２７】
本実施の形態では、チューナ３によって受信できる周波数には、ＶＨＦ（Very High Frequency）、ＵＨＦ（Ultra High Frequency）、ＣＡＴＶ（Community Antenna TV）、衛星放送などが含まれている。
【００２８】
ＶＩＦ回路４は、チューナ３から出力された中間周波数信号を検波して増幅し、検波回路５に供給する。また、ＶＩＦ回路４は、図２に示すような、中間周波数信号のレベルに応じたＡＧＣ電圧を、ＡＧＣ回路８、マイコン１２に供給する。
【００２９】
検波回路５は、ＶＩＦ回路４から供給された中間周波数信号を検波し、ビデオ信号を抽出して、ビデオ回路６、同期信号検出回路９に供給する。
【００３０】
ＡＧＣ回路８は、ＶＩＦ回路４やマイコン１２の制御に基づいて、チューナ３による信号の増幅率を制御する。詳述すると、放送モードの場合には、ＶＩＦ回路４から供給されるＡＧＣ電圧やマイコン１２から供給されるＡＧＣＡＴＴ（ＡＧＣ減衰）信号に基づいて、チューナ３による信号の増幅率を制御する。また、プリセットモードの場合には、マイコン１２から供給されるＡＧＣＡＴＴ信号に基づいて、チューナ３による信号の増幅率を制御する。本実施の形態では、ＡＧＣ回路８とＶＩＦ回路４との間にスイッチ１５が設けられており、プリセットモードの場合には、スイッチ１５はオフとされる。
【００３１】
同期信号検出回路９は、検波回路５から出力されたビデオ信号から同期信号のみを抽出し、同期信号のレベルが一定以上である場合、すなわち、電界強度が所定の値以上である場合に１信号を出力し、一定未満である場合、すなわち、電界強度が所定の値未満である場合にに０信号を出力する。
【００３２】
チャンネル指定部１０は、Ｎ（但し、Ｎは自然数。）個のチャンネルキーを有しており、マイコン１２を介して、チューナ３に備えられたＰＬＬシンセサイザと接続されている。各チャンネルキーは、選択されたＮ個のチャンネルと１対１に対応付けられており、そのうち１つを押圧したときに、対応付けられているチャンネルの信号がチューナ３によって選択されるように設定されている。
【００３３】
メモリ１１は、チャンネルキーの数Ｎを越える数のメモリロケーションを持つメモリロケーションＡ（１）〜Ａ（Ｍ）（但し、ＭはＮより大きい自然数。）と、各メモリロケーションＡ（１）〜Ａ（Ｍ）に対応したデータを記憶するメモリロケーションＢ（１）〜Ｂ（Ｍ）とを備える。メモリロケーションＡ（１）〜Ａ（Ｍ）と、メモリロケーションＢ（１）〜Ｂ（Ｍ）とは、チャンネルプリセットモードのときにデータが記憶される。
【００３４】
メモリロケーションＡ（１）〜Ａ（Ｍ）には、電界強度が所定の値以上であったチャンネルに割り振られているチャンネル番号が記憶される。メモリロケーションＡ（１）〜Ａ（Ｍ）のうちメモリロケーションＡ（１）〜Ａ（Ｎ）には、最終的には、それぞれ１〜Ｎの番号が付与されているチャンネルキーに対応付けられるチャンネルに割り振られているチャンネル番号が記憶される。また、メモリロケーションＢ（１）〜Ｂ（Ｍ）には、メモリロケーションＡ（１）〜Ａ（Ｍ）にチャンネル番号が記憶されている各チャンネルの電界強度、具体的には、後述するＡＤ値が記憶される。
【００３５】
また、メモリ１１には、図３に示すような、地域毎に、各チャンネルキーに付与された番号と、各チャンネルキーに対応付けられるチャンネルに割り振られた番号とが対応して示されているデータ（以下、エリアコードという。）が、記憶されている。例えば、エリアコードは、図３に示す地域Ａでは、１、３、４、６、８が付与されたチャンネルキーに、それぞれチャンネル番号５１、４９、５３、５７、５９が割り振られているチャンネルが対応付けられることを示している。なお、図３中０は、対応付けられるチャンネルが指定されていないことを意味する。
【００３６】
オートプリセットスイッチ１３は、テレビジョン受像機１の動作モードを、放送モード又はチャンネルプリセットモードに切り替える。具体的には、オートプリセットスイッチ１３がオンとされている場合には、テレビジョン受像機１はチャンネルプリセットモードとされ、オートプリセットスイッチ１３がオフとされている場合には、テレビジョン受像機１は放送モードとされる。
【００３７】
マイコン１２は、同期信号検出回路９から出力された１信号又は０信号が供給される。また、マイコン１２は、ＶＩＦ回路４から供給されたＡＧＣ電圧をアナログ／デジタル変換して数値（以下ＡＤ値という。）化し、ＡＤ値にもどづいて、チューナ３によって選択された信号の電界強度を検出する。
【００３８】
また、マイコン１２は、チャンネル選局信号をチューナ３に送信して、所望のチャンネルの信号を選択するように、チューナ３を制御する。チャンネル選局信号は、放送モードの場合には、チャンネルキーによって選択されたチャンネルを選択するようにチューナ３を制御する信号であり、チャンネルプリセットモードの場合には、後述するオートプリセットプログラムに従って生成される。
【００３９】
また、マイコン１２は、ＡＧＣ回路にＡＧＣＡＴＴ信号を供給して、チューナ３による信号の増幅率を制御する。ＡＧＣＡＴＴ信号は、チャンネルプリセットモードの場合には、後述するオートプリセットプログラムに従って生成される。
【００４０】
また、マイコン１２は、チャンネルプリセットモードの場合に、オートプリセットを行う。
【００４１】
つぎに、マイコン１２がオートプリセットを行う方法について、図４に示すフローチャートを参照しながら説明する。なお、以下の例では、テレビジョン受像機１が図３に示す地域Ｅで使用されており、Ｎ＝１２、且つ、Ｍ＝１５とされている場合を例に挙げて説明する。
【００４２】
先ず、ステップＳＴ１で、マイコン１２は、メモリロケーションＡ（１）〜Ａ（Ｍ）に記憶されているチャンネル番号、及びメモリロケーションＢ（１）〜Ｂ（Ｍ）に記憶されている電界強度を消去する。また、電界強度を検出するチャンネルのカウントインデックスｉを１とし、メモリ１１にメモリ番号と電界強度とが記憶されたチャンネルのカウントインデックスｊを１とする。
【００４３】
なお、メモリロケーションＡ（１）〜Ａ（Ｍ）に記憶されているチャンネル番号の消去、及びメモリロケーションＢ（１）〜Ｂ（Ｍ）に記憶されている電界強度の消去は必須ではなく、例えば、後述するステップＳＴ４で、新しくチャンネル番号と電界強度とが記憶されるときに消去されても良い。
【００４４】
次に、ステップＳＴ２で、マイコン１２は、ｉとＭとを比較し、ｉがＭ以下である場合にはステップＳＴ３に進み、ｉがＭより大である場合にはステップＳＴ６に進む。
【００４５】
次に、ステップＳＴ３で、マイコン１２は、複数のチャンネルの中からｉ番目に電界強度を測定するチャンネルを選択して、選択したチャンネルの電界強度を測定する。なお、本実施の形態では、周波数が低いチャンネルから順次電界強度の検出を行う。すなわち、ｉ番目に電界強度を測定したチャンネルは、テレビジョン受信機１によって受信可能なチャンネルのうちｉ番目に周波数が低いチャンネルとなる。以下の説明では、ｉ番目に電界強度の測定が行われたチャンネルを、チャンネルｉともいう。
【００４６】
具体的に説明すると、マイコン１２は、チャンネルｉの信号を選択するようにチューナ３を制御するチャンネル選局信号を生成し、チューナ３に出力する。チューナ３は、マイコン１２から供給されたチャンネル選局信号に従って、チャンネルｉの信号を選択する。そして、マイコン１２は、同期信号検出回路９から１信号が供給されているか否かを検出し、１信号が供給されている場合にはチャンネルｉの電界強度が所定の強度以上であると判断してステップＳＴ４に進み、０信号が供給されている場合にはチャンネルｉの電界強度が所定の強度未満であると判断してステップＳＴ５に進む。
【００４７】
次に、ステップＳＴ４で、マイコン１２は、図５（Ａ）に示すように、メモリロケーションＡ（ｊ）にチャンネルｉに割り振られているチャンネル番号を記録する（ステップＳＴ２１）。そして、マイコン１２は、ＶＩＦ回路４から供給されたＡＧＣ電圧をアナログ／デジタル変換してＡＤ値を生成し、図５（Ａ）に示すように、メモリロケーションＢ（ｊ）に記録する（ステップＳＴ２２）。そして、マイコン１２は、ｊの値を１増やしてステップＳＴ５に進む（ステップＳＴ２３）。
【００４８】
次に、ステップＳＴ５で、マイコン１２は、ｉの値を１増やしてステップＳＴ２に戻る。
【００４９】
また、ステップＳＴ６では、マイコン１２は、ｊがＮより大きいか否かを判断する。ｊがＮより大きいと判断した場合にはステップＳＴ７に進み、ｊがＮ以下である場合にはステップＳＴ８に進む。
【００５０】
ステップＳＴ７では、マイコン１２は、図５（Ｂ）に示すように、ＡＤ値が小さい順に、メモリロケーションＡ（１）〜Ａ（ｊ）に記憶されたチャンネル番号とメモリロケーションＢ（１）〜Ｂ（ｊ）に記憶されたＡＤ値とを並べ替え、ステップＳＴ８に進む。
【００５１】
ステップＳＴ８では、マイコン１２は、メモリロケーションＡ（１）〜Ａ（ｊ）に記憶されたチャンネル番号の中に、エリアコードに示されているチャンネル番号が全て含まれているか否かを判断する。エリアコードに示されているチャンネル番号が全て含まれている場合にはステップＳＴ９に進み、エリアコードに示されているチャンネル番号が全て含まれていない場合にはステップＳＴ１２に進む。
【００５２】
ステップＳＴ９では、マイコン１２は、図５（Ｃ）に示すように、メモリロケーションＡ（１）〜Ａ（Ｎ）に記憶されているチャンネル番号のうちエリアコードに示されているものを、エリアコード通りに記憶し直し、ステップＳＴ１０に進む。具体的に説明すると、エリアコードに、ｘ（但し、ｘは１以上Ｎ以下の自然数。）が付与されているチャンネルキーに対して、チャンネル番号ｙ（但し、ｙは自然数。）が割り振られているチャンネルが対応付けられると示されているときには、メモリロケーションＡ（ｘ）にｙを記憶させる。
【００５３】
次に、ステップＳＴ１０では、マイコン１２は、エリアコードと一致しないチャンネル番号が、メモリロケーションＡ（１）〜Ａ（Ｎ）に記憶されているか否かを判断する。エリアコードと一致しないチャンネル番号が記憶されている場合にはステップＳＴ１１に進み、エリアコードと一致しないチャンネル番号が記憶されていない場合にはステップＳＴ１３に進む。
【００５４】
ステップＳＴ１１では、マイコン１２は、図５（Ｄ）に示すように、１〜Ｎのうちエリアコードに示されていないチャンネル番号と、ステップＳＴ４でメモリロケーションＡ（１）〜Ａ（Ｎ）に記憶され、且つ、エリアコードに示されていないチャンネル番号とを比較し、一致している番号ｚ（但し、ｚは１以上Ｎ以下の自然数。）がある場合には、チャンネル番号ｚを、メモリロケーションＡ（ｚ）に記憶し直す（ステップＳＴ３１）。そして、図５（Ｅ）に示すように、ステップＳＴ９及びステップＳＴ３１でメモリロケーションＡ（１）〜Ａ（Ｎ）に記憶し直されていないチャンネル番号を、メモリロケーションＡ（１）〜Ａ（Ｎ）のうち空いている位置に記憶し直す（ステップＳＴ３２）。本実施の形態では、小さいチャンネル番号を、小さい番号が付与されているメモリロケーションに記憶し直す。そして、ステップＳＴ１３に進む。
【００５５】
なお、図５（Ｃ）、（Ｄ）、（Ｅ）中の丸で囲まれている番号は、エリアコードに示されているチャンネル番号である。
【００５６】
また、ステップＳＴ１２では、マイコン１２は、メモリロケーションＡ（１）〜Ａ（Ｎ）に記憶されている番号と１〜Ｎとを比較し、一致している番号ｗ（但し、ｗは１以上Ｎ以下の自然数。）を、メモリロケーションＡ（ｗ）に記録し直す（ステップＳＴ４１）。そして、ステップＳＴ４１でメモリロケーションＡ（１）〜Ａ（Ｎ）に記憶し直されていないチャンネル番号を、メモリロケーションＡ（１）〜Ａ（Ｎ）のうち空いているメモリロケーションに記憶し直す（ステップＳＴ４２）。
【００５７】
最後に、ステップＳＴ１３で、マイコン１２は、メモリロケーションＡ（１）〜Ａ（Ｎ）にチャンネル番号が記憶されているチャンネルを、それぞれ番号１〜Ｎが付与されたチャンネルキーに対応付ける。
【００５８】
以上説明したように、本発明を適用したテレビジョン受像機１は、最初に電界強度が所定の強度以上であるチャンネルに割り振られているチャンネル番号を全てメモリ１１に記憶し、エリアコードに示されているチャンネル番号が全て記憶されている場合には、エリアコードに従って各チャンネルキーにチャンネルを対応付け、エリアコードにチャンネル番号が示されていないチャンネルを、同じ番号が付与されたチャンネルキーが空いている場合にはこのチャンネルキーに対応付け、更に対応付けられていないチャンネルを、どのチャンネルとも対応付けられていないチャンネルキーに対応付ける。
【００５９】
したがって、本発明を適用したテレビジョン受像機１では、エリアコードに示されているチャンネルはエリアコードに従って各チャンネルキーに対応付けられ、エリアコードにチャンネル番号が示されていないチャンネルを空いているチャンネルに対応付けることができる。また、エリアコードにチャンネル番号が示されていないチャンネルについては、チャンネル番号がチャンネルキーに付与された番号と一致している場合には、チャンネル番号と同じ番号が付与されたチャンネルキーに対応付ける。すなわち、本発明を適用したテレビジョン受像機１は、多数のチャンネルの指定が容易となるように、各チャンネルをチャンネルキーに対応付けることが可能となる。
【００６０】
また、本発明を適用したテレビジョン受像機１は、電界強度が所定の強度以上であるチャンネルを全て検出し、その中から電界強度が強い順にＮ個選択してプリセットしているために、電界強度が強いチャンネルを漏れなくプリセットすることが可能となる。
【００６１】
また、本発明を適用したテレビジョン受像機１は、選択したＮ個のチャンネルの中にエリアコードに示されたチャンネルが含まれているときに、エリアコードに従って、それぞれのチャンネルを各チャンネルキーにプリセットしている。したがって、エリアコードに示されていないチャンネルがＮ個の中に含まれる場合にも、エリアコードに従ってチャンネルが各チャンネルキーにプリセットされ、チャンネルの指定が容易なものとなる。
【００６２】
なお、テレビジョン受像機１は、ステップＳＴ１３のときにメモリロケーションＡ（Ｎ＋１）〜Ａ（Ｍ）に記憶されているチャンネルをモニタ７に表示し、ユーザが図示しないリモートコントローラなどを操作することによって、表示されたチャンネルの中から所望のチャンネルを選択できる構成とすることが好ましい。かかる構成とすることにより、テレビジョン受像機１は、各チャンネルキーに対応付けられていないチャンネルの信号を復号して、ユーザに視聴させることが可能となる。
【００６３】
ところで、テレビジョン受像機１は、オートプリセットを行うときに、メモリロケーションＢ（１）〜Ｂ（Ｍ）に記録する電界強度を調整することによって、周波数帯毎に、メモリロケーションＡ（１）〜Ａ（Ｍ）にチャンネル番号が記憶されるために必要となる電界強度の値、すなわち、同期信号検出回路９が１信号を出力するために最低必要となる電界強度の値（以下、閾値という。）を変更できる構成とすることが好ましい。
【００６４】
詳述すると、テレビ放送で使用されている周波数帯としては、ＶＨＦ−Ｌ、ＶＨＦ−Ｈ、ＣＡＴＶ、ＵＨＦ−Ｌ、ＵＨＦ−Ｈなどがあるが、各周波数帯毎に、チャンネルキーと対応付けられるときの電界強度の閾値を変更することが可能な構成とすることが好ましい。かかる構成とすることにより、例えば、ＵＨＦ−Ｌの周波数帯のチャンネルをサーチした場合に限定してチューナ３による信号の増幅率を上げることなどによって、ＵＨＦ−Ｌの周波数帯のチャンネルを、他の周波数帯のチャンネルと比較して、チャンネルキーに対応させ易くすることが可能となる。
【００６５】
次に、チャンネルプリセットモードの場合に、マイコン１２が、各周波数帯毎にチャンネルキーと対応付けられるときの電界強度の閾値を変更しながらオートプリセットを行う方法について、図６に示すフローチャートを参照しながら説明する。
【００６６】
各周波数帯毎にチャンネルキーと対応付けられるときの電界強度の閾値を変更しながらオートプリセットを行うときのマイコン１２の動作は、ステップＳＴ１でメモリロケーションＡ（１）〜Ａ（Ｍ）に記憶されているチャンネル番号及びメモリロケーションＢ（１）〜Ｂ（Ｍ）に記憶されている電界強度の消去を行い、カウントインデックスｉ及びｊの値を１とした後に、ステップＳＴ２でｉとＭとを比較し、ｉがＭ以下である場合にステップＳＴ３に進む前にステップＳＴ５０に進む以外は、図４に示すような電界強度の閾値を変更せずにオートプリセットを行うときのマイコン１２の動作と同じである。したがって、ステップＳＴ５０以外のマイコン１２の動作については、説明を省略する。また、図６では、ステップＳＴ６以降の記載を省略する。
【００６７】
ステップＳＴ５０では、チャンネルｉの周波数帯を判断し、周波数帯に応じて電界強度の閾値を変更する。
【００６８】
詳述すると、先ず、ステップＳＴ５１で、チャンネルｉの周波数帯がＶＨＦ−Ｌ、ＶＨＦ−Ｈ、ＣＡＴＶ、ＵＨＦ−Ｌ、ＵＨＦ−Ｈのうちのどれであるかを判断する。そして、ＶＨＦ−Ｌであると判断した場合にはステップＳＴ５２に進み、ＶＨＦ−Ｈであると判断した場合にはステップＳＴ５３に進み、ＣＡＴＶであると判断した場合にはステップＳＴ５４に進み、ＵＨＦ−Ｌであると判断した場合にはステップＳＴ５５に進み、ＵＨＦ−Ｈであると判断した場合にはステップＳＴ５６に進む。
【００６９】
そして、ステップＳＴ５２では、マイコン１２は、ＡＧＣＡＴＴ信号を変化させてＡＧＣ回路８を制御し、チューナ３による信号の増幅率をＡ１として、ステップＳＴ３に進む。
【００７０】
また、ステップＳＴ５３では、マイコン１２は、ＡＧＣＡＴＴ信号を変化させてＡＧＣ回路８を制御し、チューナ３による信号の増幅率をＡ２として、ステップＳＴ３に進む。
【００７１】
また、ステップＳＴ５４では、マイコン１２は、ＡＧＣＡＴＴ信号を変化させてＡＧＣ回路８を制御し、チューナ３による信号の増幅率をＡ３として、ステップＳＴ３に進む。
【００７２】
また、ステップＳＴ５５では、マイコン１２は、ＡＧＣＡＴＴ信号を変化させてＡＧＣ回路８を制御し、チューナ３による信号の増幅率をＡ４して、ステップＳＴ３に進む。
【００７３】
また、ステップＳＴ５６では、マイコン１２は、ＡＧＣＡＴＴ信号を変化させてＡＧＣ回路８を制御し、チューナ３による信号の増幅率をＡ５して、ステップＳＴ３に進む。
【００７４】
以上説明したように、電界強度を測定するチャンネルの周波数帯毎に、メモリロケーションＡ（１）〜Ａ（Ｍ）にチャンネル番号が記憶されるときの電界強度の閾値を変更することによって、所定の周波数帯のチャンネルを、チャンネルキーに対応付け易くすることなど、チャンネルキーに対応付けるチャンネルを調整することが可能となる。
【図面の簡単な説明】
【００７５】
【図１】本発明を適用したテレビジョン受像機のブロック回路図である。
【図２】同テレビジョン受像機に備えられているＶＩＦ回路が出力するチャンネル毎のＡＧＣ電圧値の一例を示す図である。
【図３】同テレビジョン受像機に備えられているメモリに記憶されているエリアコードの一例を示す図である。
【図４】同テレビジョン受像機がオートプリセットモードである場合の、マイコンの動作を示すフローチャートである。
【図５】（Ａ）は、メモリロケーションＡ（１）〜Ａ（Ｍ）、Ｂ（１）〜Ｂ（Ｍ）に、それぞれチャンネル番号と電界強度が記憶された状態を示す図であり、（Ｂ）は、電界強度が強い順にチャンネル番号が記憶し直された状態を示す図であり、（Ｃ）は、エリアコードに示されているチャンネルはエリアコード通りに記憶し直され、エリアコードに示されておらず電界強度が強いチャンネルが、空いているメモリロケーションに記憶された状態を示す図である。
【図６】同テレビジョン受像機がオートプリセットモードである場合に、周波数毎に電界強度の閾値を変化させながら、各チャンネルをチャンネルキーに対応させるときのマイコンの動作を示すフローチャートである。
【符号の説明】
【００７６】
１  テレビジョン受像機、２  アンテナ、３  チューナ、４  ＶＩＦ回路、５  検波回路、６  ビデオ回路、７  モニタ、８  ＡＧＣ回路、９  同期信号検出回路、１０  チャンネル指定部、１１  メモリ、１２  マイコン、１３  オートプリセットスイッチ
【図１】
2006005757.tif 000003
【図２】
2006005757.tif 000004
【図３】
2006005757.tif 000005
【図４】
2006005757.tif 000006
【図５】
2006005757.tif 000007
【図６】
2006005757.tif 000008